(57)【要約】【課題】本発明は、電気石等を用いた健康促進具において、圧電気、あるいは焦電気の発生効率を高め、マイナスイオンの発生量を増加させると共に、発生した圧電気、あるいは焦電気を効率良く身体内に放電させることを可能とし、尚且つ、時間の経過、あるいは使用に伴う外力、あるいは洗浄などによって、身体の疲労回復、あるいは治癒力の促進を促す効果が衰えることの無い健康促進具を得ることにある。【解決手段】外殻１によって形成される密閉空間２に、電気石等３を遊動可能な状態に封入し、外殻１が身体と接触する状態で、本発明の健康促進具を装着する。【選択図】        図１
2008136709.tif 000002
【特許請求の範囲】
【請求項１】
外殻によって形成される密閉空間に、電気石、あるいは類似の性質を持つ物質の、粉末、あるいは粒、あるいは粉末と粒を混ぜ合わせたもの（以下、「電気石等」という）を、遊動可能な状態に封入したことを特徴とする健康促進具。
【請求項２】
外殻が、身体に装着可能な状態に形成されるか、あるいは他の物品に組み入れ可能な状態に形成されることを特徴とする、請求項１の健康促進具。
【発明の詳細な説明】
【技術分野】
【０００１】
この発明は、身体の疲労回復、あるいは治癒力の促進を促す健康促進具に関するものである。
【背景技術】
【０００２】
電気石等に圧力、あるいは熱を加えると、圧電気、あるいは焦電気を生じ、また、マイナスイオンが放出されることから、電気石等を身に着けることで、疲労回復、あるいは治癒力の促進を促す効果が有り、従来より、電気石等を用いた健康促進具が開発されている。しかし、これまでの電気石等を用いた健康促進具にあっては、電気石等の微粉末を樹脂に混ぜ合わせ、輪、あるいは紐状、あるいは板状に成形して身体に装着するものであり、成形品の強度を確保する上で、配合する電気石等の割合は、微量に制限されるばかりか、混入された電気石等の粒子の周りは樹脂で覆われているため、外部より加わる圧力、あるいは熱が、樹脂によって分散、あるいは吸収、あるいは遮断されるため、電気石等に加わる圧力、あるいは熱は減少し、結果として、電気石等が生じる圧電気、あるいは焦電気は小さくなり、放出されるマイナスイオンは微量となった。また、電気石等より生じた電気は、電気石等と身体の間が樹脂で絶縁されているために、健康促進具内に帯電してしまい、効率的に身体内に送り込むことができなかった。また、繊維、あるいは樹脂、あるいは金属といった基材に電気石等の粉末を付着させた健康促進具においては、時間の経過や、使用に伴う外力、あるいは洗浄によって、電気石等が脱落し、疲労回復、あるいは治癒力の促進を促す効果が著しく減少してしまった。
【発明の開示】
【発明が解決しようとする課題】
【０００３】
本発明において解決しようとする課題は、電気石等に加えられる圧力、あるいは熱が障害によって減少し、結果として圧電気、あるいは焦電気、あるいはマイナスイオンの発生量が減少すること、及び、電気石等から発生した圧電気、あるいは焦電気が身体内に放電される量も、障害によって著しく減少すること、及び、時間の経過、あるいは使用に伴う外力、あるいは洗浄によって電気石等が脱落することにより、身体の疲労回復、あるいは治癒力の促進を促す効果が衰えることを改善するものである。
【課題を解決するための手段】
【０００４】
本発明の健康促進具は、外殻によって形成される密閉空間に、電気石等を遊動可能な状態に封入したことを特徴とする。
【発明の効果】
【０００５】
本発明によって、圧電気、あるいは焦電気の発生効率を高めるとともに、マイナスイオンの発生量を増加させ、また、発生した圧電気、あるいは焦電気を、効率良く身体内に放電させることによって、身体の疲労回復、あるいは治癒力の促進を促す効果を高めることができ、しかも、その効果が時間の経過、あるいは使用に伴う外力、あるいは洗浄などによって衰えることの無い健康促進具を実現した。
【発明を実施するための最良の形態】
【０００６】
本発明の健康促進具を、身体に装着して激しい動きを加えると、外殻によって形成される密閉空間の中で、電気石等の粒子は攪拌され、お互いに激しく衝突し合い、個々の粒子が加圧されることから、効率良く圧電気を生じる。また、穏やかな動きに対しては、電気石等の粒子は、流動し、個々の粒子が擦れ合い、摩擦による衝撃で効率良く圧電気を生じる。さらに、本発明の健康促進具を装着しただけで動いていない場合であっても、身体に装着した時点より、体温によって外殻が温められ電気石等に熱が加わっているため、封入された電気石等は、焦電気を生じていることから、結果的に、効率的にマイナスイオンを放出させることを可能とするものである。また、本発明の健康促進具の外殻に導体物質を用いることによって、電気石等から生じた圧電気、あるいは焦電気は、健康促進具と皮膚の接点を通して、直接的に、効率良く体内に向けて放電されることから、ツボに電気的刺激を与えることをも可能とするものである。
【実施例１】
【０００７】
本発明の請求項１の実施例１を、図１に沿って説明すると、外殻１の密閉空間２に、電気石等３を、遊動可能な状態に封入し、粘着材４によって、身体のツボ、あるいは患部に貼付する請求項１の健康促進具である。
【実施例２】
【０００８】
次に、本発明の請求項２の実施例１を図２に沿って説明すると、外殻１に設けられた取り付け穴５を介して、衣類、あるいは寝具等の布６に取り付けられた請求項１の健康促進具である。
【実施例３】
【０００９】
次に、本発明の請求項２の実施例２を図３に沿って説明すると、外殻１を弾性素材により形成し、外殻１を密閉空間２に向かって貫通し、電気石等３と接触するよう電極７を設け、靴の中敷、あるいは底８に取り付けることで、振動による衝撃の他に、足から受ける圧力を利用して、より強く電気石等を圧迫することが可能であり、効果的な請求項１の健康促進具となる。
【実施例４】
【００１０】
次に、本発明の請求項２の実施例３を図４に沿って説明すると、外殻１は、管状部材の両端同士を接合した輪状、あるいは両端を塞がれた管状部材を、輪に近い状態にまで曲げた状態、あるいは複数個の外殻１を数珠状に連ねて輪状に形成し、指、あるいは手首、あるいは首に装着することができる請求項１の健康促進具である。
【実施例５】
【００１１】
尚、外殻１を形成する素材に、チタン、あるいはゲルマニウム、あるいは特殊セラミックス、あるいは磁石といった、電子、あるいは電気、あるいは磁気、あるいは遠赤外線を発生する物質を用いることで、より、多種の症状に対して有効な請求項１の健康促進具となる。
【実施例６】
【００１２】
また、本発明の健康促進具を、ブレスレット、あるいはアンクレット、あるいはベルト、あるいはネックレス、あるいはチョーカー、あるいはイヤリング、あるいはピアス、あるいは腕時計といった、装身具に取り付けるか、あるいは外殻１と装身具を構成する部品とを兼ねる構造として装身具を形成することにより、意匠的にも優れた請求項１の健康促進具となる。
【図面の簡単な説明】
【００１３】
【図１】請求項１の実施例１の健康促進具を示す断面図
【図２】請求項２の実施例１の健康促進具を示す模式図
【図３】請求項２の実施例２の健康促進具を示す断面図
【図４】請求項２の実施例３の健康促進具を示す断面図
【符号の説明】
【００１４】
１  外殻
２  密閉空間
３  電気石等
４  粘着材
５  取り付け穴
６  布
７  電極
８  靴の中敷、あるいは底
【図１】
2008136709.tif 000003
【図２】
2008136709.tif 000004
【図３】
2008136709.tif 000005
【図４】
2008136709.tif 000006